(57)【要約】【課題】地震発生時の振動等によって暗所となった例えば屋内において、床面等に散乱して周囲をスポットライト的に照明して、周囲状況を確認する明るさを確保する。【解決手段】正立状態でスイッチオフとなって光源２が消灯し、倒立状態でスイッチオンとなって光源２が点灯するよう傾斜スイッチ１１を内蔵して成る発光体３を備え、該発光体３が床Ｐ面上に落ちた際に倒立状態となって光源２が点灯するよう当該発光体３側面の対向位置に床Ｐ面接地用の平面部３Ａを有する。また、発光体３をスイッチオフとなる正立状態で複数配列状に載置する壁掛設置用の台座を備える。傾斜スイッチ１１は、発光体３が正立状態では接点を不導通にしてオフ状態にし、倒立状態では接点を導通にしてオンフ接点信号を発信する重錘を備えた重錘式の傾斜スイッチ１１とする。【選択図】図５
0003122501.tif 000002
【実用新案登録請求の範囲】
【請求項１】
正立状態でスイッチオフとなって光源を消灯させ、倒立状態でスイッチオンとなって光源を点灯させるよう傾斜スイッチを内蔵して成る発光体を備え、該発光体が床面上に落ちた際に倒立状態となって光源を点灯させるよう当該発光体側面の対向位置に床面接地用の平面部を有して成ることを特徴とする震災用照明装置。
【請求項２】
発光体をスイッチオフとなる正立状態に規制し、落ちたときには正立状態の規制を解除するように複数配列状に載置させる壁掛設置用の台座を備えた請求項１記載の震災用照明装置。
【請求項３】
壁もしくは天井に揺動自在に吊下され、発光体が互いにスイッチオフの正立状態となって挿入可能として成る収納体と、この収納体の下端開口側から若干離隔した状態で配され、収納体内の発光体を正立状態で係止させて収納体自体を直立に保持させるものとした受け部とを備えた請求項１記載の震災用照明装置。
【請求項４】
傾斜スイッチは、発光体が正立状態にあるときには転倒状態で接点を不導通にさせてオフさせ、発光体が倒立状態にあるときには直立状態で接点を導通させてオン接点信号を発信させる重錘を備えた重錘式の傾斜スイッチとした請求項１乃至３のいずれか記載の震災用照明装置。
【請求項５】
傾斜スイッチは、隔離溝を介して対向配置された一対の導体と、両導体間を移動可能とした導電性球体もしくは両導体間を流動可能とした水銀を備え、隔離溝の方向を回転させて導電性球体もしくは水銀を隔離溝位置に跨がせることで両導体が導通状態となって電源から光源に電流が流れて点灯する導電性球体式もしくは水銀式の傾斜スイッチとした請求項１乃至３のいずれか記載の震災用照明装置。
【考案の詳細な説明】
【技術分野】
【０００１】
この考案は、主として屋内において地震発生時の振動等によって周囲に散乱し、周囲をスポットライト的に照明して足下等を明るく照らし、例えば避難経路を照明するための震災用照明装置に関する。
【背景技術】
【０００２】
従来から地震は昼夜を問わず頻繁に発生している。このとき屋内にいて地震が起きた際には、家具が倒れたり、棚が破損・破壊されたりすると同時にそれらに収納されていた例えば食器類が落下し、割れて床面上に散乱する。しかも窓ガラス、蛍光灯の照明器具等も割れてそれらのガラスの破片が床面上に散乱する。このため、現在一般的に販売されている地震対策グッズとしては、例えば家具や棚等と天井との間に突っ張り状態に介在させるためのつっかえ棒、窓ガラス等に直接張設される透明シート状のガラス飛散防止フィルム、地震で割れたときの蛍光灯の破片の飛散を防止するために蛍光灯を内包させる蛍光灯飛散防止カバー、家具の転倒を防止するために当該家具と床面との間に敷設される転倒防止シート、地震による開き戸の転倒・脱落を防止するための開き戸ストッパー等のような様々なグッズが提供されている。また、このような直接的な防災用品の他に、地震発生後の地震情報等を聴取し、避難のため等に周囲を照射するようにしたラジオ付きの懐中電灯も提供されている。
【特許文献１】特になし
【考案の開示】
【考案が解決しようとする課題】
【０００３】
しかしながら、このような従来の地震対策の防災器具は、屋内における各種家具の転倒防止、危険物の周囲への飛散防止その他のためのもので、室内の照明が消えた場合の周囲状況を地震直後に実際の目で見て確認するためには全く役に立たない。また例えば屋内では昼間でも地震により電気供給が途絶え、照明が消えると真っ暗になる閉塞された場所があるため、屋内にいる人はとりあえず真っ先に外の明るい場所に避難することを考える。ただ、屋内は真っ暗になるのに加えて、一般的な居住用のマンション、住宅等では上記したような食器類やガラス等の破片による危険物が床面上に散乱している可能性が高く、しかも屋内にいる時は殆ど裸足なので下手に動くとかえって危険である。そのために震災時用に懐中電灯等を用意しておいてもすぐに取り出すことは困難で、これを使用できない可能性がある。さらに多くの建物に設置されている非常用電源も避難訓練時を除いて普段は使われないため、地震発生時のような非常時において正常に作動するのか疑問であるという問題点を有していた。
【０００４】
そこで、この考案は叙上のような従来存した諸事情に鑑み創出されたもので、地震発生後の停電等により暗所となった主として屋内において例えば周囲状況の視認、屋外への避難経路を確保するために、地震時の振動等によって小さい照明灯となる発光体を周囲に散乱させ、その発光体によって数分間にわたって足下等を照らすことができるようにした震災用照明装置を提供することを目的とする。
【課題を解決するための手段】
【０００５】
上述した課題を解決するため、この考案にあっては、正立状態でスイッチオフとなって光源２を消灯させ、倒立状態でスイッチオンとなって光源２を点灯させるよう傾斜スイッチ１１を内蔵して成る発光体３を備え、該発光体３が床Ｐ面上に落ちた際に倒立状態となって光源２を点灯させるよう当該発光体３側面の対向位置に床Ｐ面接地用の平面部３Ａを有して成るものである。なお、正立状態とは発光体３自体が何らかの手段・方法の規制によって立てられていることをいい、倒立状態とはその手段・方法の規制がない状態では自然に倒れていて、正立状態への規制が施されていないときであることをいう。
発光体３をスイッチオフとなる正立状態に規制し、落ちたときには正立状態の規制を解除するように複数配列状に載置させる壁掛設置用の台座４を備えたものとできる。
壁Ｑもしくは天井に揺動自在に吊下され、発光体３が互いにスイッチオフの正立状態となって挿入可能として成る収納体３５と、この収納体３５の下端開口側から若干離隔した状態で配され、収納体３５内の発光体３を正立状態で係止させて収納体３５自体を直立に保持させるものとした受け部３８とを備えたものとできる。
傾斜スイッチ１１は、発光体３が正立状態にあるときには転倒状態で接点を不導通にさせてオフさせ、発光体３が倒立状態にあるときには直立状態で接点を導通させてオン接点信号を発信させる重錘１７を備えた重錘式の傾斜スイッチ１１とすることができる。
傾斜スイッチ１１は、隔離溝２１を介して対向配置された一対の導体２２Ａ，２２Ｂと、両導体２２Ａ，２２Ｂ間を移動可能とした導電性球体２３もしくは両導体２２Ａ，２２Ｂ間を流動可能とした水銀を備え、隔離溝２１の方向を回転させて導電性球体２３もしくは水銀を隔離溝２１位置に跨がせることで両導体２２Ａ，２２Ｂが導通状態となって電源７から光源２に電流が流れて点灯する導電性球体式もしくは水銀式の傾斜スイッチ１１とすることができる。
【０００６】
以上のように構成されたこの考案に係る震災用照明装置にあって、発光体３は、正立状態の規制時では、傾斜スイッチ１１がスイッチオフとなって光源２を消灯状態にさせ、例えば地震の振動で落ちて床Ｐ面等に散乱されて正立状態の規制が解除されることで、発光体３側面の平面部３Ａのいずれか一方が床Ｐ面に接地されて倒立状態となった際には、傾斜スイッチ１１がスイッチオンとなって光源２を点灯状態にさせる。
壁掛設置用の台座４は、地震発生時の振動によって正立状態に規制していた複数の発光体３を全て同時に落下させ、規制を解除した倒立状態にさせる。
壁Ｑもしくは天井に揺動自在に吊下されている収納体３５は、地震発生時に揺動して受け部３８上で水平の横方向に傾かせ、当該収納体３５の下端開口側を開放させて発光体３を順次落下させる。
発光体３に内蔵した重錘式の傾斜スイッチ１１は、発光体３が正立状態では、重錘１７は転倒状態に維持されていることで接点を不導通にさせて接点をオフにさせる。一方、発光体３の平面部３Ａが床Ｐ面に接地されて倒立状態となった際には、重錘１７は直立状態となって接点を導通させてオン接点信号を発信させる。
導電性球体式もしくは水銀式の傾斜スイッチ１１は、発光体３が正立状態では、導電性球体２３もしくは水銀は例えばいずれか一方の導体２２Ａ側に配置された状態となり、両導体２２Ａ，２２Ｂは隔離溝２１によって離間させたままのスイッチオフの状態を維持させる。一方、発光体３の平面部３Ａが床Ｐ面に接地されて倒立状態となった際には、導電性球体２３もしくは水銀は隔離溝２１に跨り両導体２２Ａ，２２Ｂを導通状態にさせ、電源７から光源２に電流が流れて点灯させる。
【考案の効果】
【０００７】
この考案によれば、例えば屋内の壁Ｑ等に設置しておくことで、地震発生時の停電等により暗所となった屋内においても、地震の振動その他によって周囲に落ちて発光体３が散乱して足下を照らすことができる。そのため周囲状況を目で見て確認できることでひとまずの安心感を得ることもでき、また例えば屋外への避難経路を照明し、避難するために例えば数分間にわたってこれらを明るくすることができる。
【０００８】
すなわちこれはこの考案が、正立状態でスイッチオフとなって光源２を消灯させ、倒立状態でスイッチオンとなって光源２を点灯させるよう傾斜スイッチ１１を内蔵して成る発光体３を備え、該発光体３が床Ｐ面上に落ちた際に倒立状態となって光源２を点灯させるよう当該発光体３側面の対向位置に床Ｐ面接地用の平面部３Ａを有して成るからである。これによって、地震発生時の振動等によって周囲に散乱し、例えば照明が途絶え、暗所となった屋内において床Ｐ面に落下散在した複数の発光体３でもってスポットライト的に足下等を明るくし、危険物その他を視認でき、周囲の状況を実際の目で見て確認できる安心感も得られる。また、発光体３を持参携帯することで移動時の周囲をも僅かでも照明でき、さらに例えば屋外への避難経路を容易に照明することができる。
【０００９】
発光体３をスイッチオフとなる正立状態に規制し、落ちたときには正立状態を解除するように複数配列状に載置させる壁掛設置用の台座４を備えたので、地震発生時に複数の発光体３を全て同時に落下させることができ、しかも震災時でない通常時においては台座４上の発光体３は点灯しないため、電力の無駄な消耗を防ぐことができる。
【００１０】
壁Ｑもしくは天井に揺動自在に吊下され、発光体３が互いにスイッチオフの正立状態となって挿入可能として成る収納体３５と、この収納体３５の下端開口側から若干離隔した状態で配され、収納体３５内の発光体３を正立状態で係止させて収納体３５自体を直立に保持させるものとした受け部３８とを備えたので、地震発生時に揺動する収納体３５が受け部３８の横方向に傾くことで当該収納体３５の下端開口側が開放されるから、ここから発光体３を連続して落下させることができる。
【００１１】
傾斜スイッチ１１は、発光体３が正立状態にあるときには転倒状態で接点を不導通にさせてオフさせ、発光体３が倒立状態にあるときには直立状態で接点を導通させてオン接点信号を発信させる重錘１７を備えた重錘式の傾斜スイッチ１１としたので、発光体３側面の対向位置に形成されている平面部３Ａに対応して、二つの傾斜スイッチ１１を使用することで、発光体３の倒立方向を問わずに容易に点灯させることができる。
【００１２】
傾斜スイッチ１１は、隔離溝２１を介して対向配置された一対の導体２２Ａ，２２Ｂと、両導体２２Ａ，２２Ｂ間を移動可能とした導電性球体２３もしくは両導体２２Ａ，２２Ｂ間を流動可能とした水銀を備え、隔離溝２１の方向を回転させて導電性球体２３もしくは水銀を隔離溝２１位置に跨がせることで両導体２２Ａ，２２Ｂが導通状態となって電源７から光源２に電流が流れて点灯する導電性球体式もしくは水銀式の傾斜スイッチ１１としたので、一つの傾斜スイッチ１１であっても発光体３自体を確実、容易に点灯させることができる。
【００１３】
特に、導電性球体式もしくは水銀式の傾斜スイッチ１１自体は、例えば工事による揺れや車両等の振動等の所謂一般生活振動では反応せず、地震振動のみに反応する極めて信頼性のあるスイッチであるため、震災時でない一般生活振動環境における発光体３の不用意な点灯を未然に防止することができる。しかも、高度な耐振性、耐衝撃性、耐熱性等を有する傾斜スイッチ１１を備えた信頼性の高い発光体３を作製することができる。
【００１４】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１５】
以下、図面を参照してこの考案を実施するための最良の一形態について説明する。図において示される符号１は、地震時の振動で落ちて倒立状態になったとき、停電等により屋内が暗所となった際に周囲を明るくし、さらに例えば屋外へ通じる避難経路を照明できる仕組みを備えた立て置きタイプの震災用照明装置である。
【００１６】
この震災用照明装置１は、図１および図２に示すように、例えば発光ダイオードであるＬＥＤ（Ｌｉｇｈｔ  Ｅｍｉｔｔｉｎｇ  Ｄｉｏｄｅ）ライト等の光源２を内蔵使用し、端部が半球面状になっている略繭玉形状の小型で軽量な発光体３と、該発光体３をスイッチオフとしておく正立状態で複数配列状に載置させるための壁掛設置用の台座４とから構成されている。そして地震の発生時に台座４から複数の全ての発光体３が床Ｐ面上に落ちて散乱した際に当該発光体３がスイッチオンとなる倒立状態となって、発光体３に内蔵の光源２が点灯し、床Ｐ面を広範囲にわたって点状にスポットライト的に照明することで周囲を明るく照らすようにしてある。
【００１７】
また、発光体３の台座４からの落下時における衝撃でも、当該発光体３自体は堅牢で破損・破増されないものとし、しかも小型且つ軽量なものとなるよう、例えば透明な合成樹脂製の材質を使用してある。これは、発光体３自体が割れてこれの破片が床Ｐ面に散乱されることで移動時、避難時に足を怪我させたり、あるいは発光体３が台座４から頭上に落ちて頭部を怪我させたりしないようにするための配慮である。
【００１８】
以下に立て置きタイプの震災用照明装置１の各構成部分について説明する。発光体３は、図５に示すように、例えば略繭玉形を呈する中空の透光部材によって形成されており、長手方向に沿って立てたときの長手側面における相対向する部分には、当該発光体３が床上に落ちた際に横向きの倒立状態となって接地できるようにした平面部３Ａが形成されている。具体的な発光体３の大きさとしては、例えば長手方向の長さを５ｃｍ、両平面部３Ａ間の幅員を２．２ｃｍ、両平面部３Ａに対する側面間の幅員を２．７ｃｍ程度に形成してある。
【００１９】
この発光体３内部における中央には、両側面それぞれに後述する重錘式による傾斜スイッチ１１の頭部に当る蓋１４側が互いに逆向きの対状配置となるよう当該傾斜スイッチ１１側面を当接配置させて成る基板５が当該発光体３の長手方向に対して直角に配されている。この重錘式の傾斜スイッチ１１は、後述するように発光体３自体が正立状態にあるときではスイッチオフとなり、発光体３自体が倒立状態にあるときではスイッチオンとなる。一方の傾斜スイッチ１１の頭部が発光体３の一方の平面部３Ａの内壁に向けられ、他方の傾斜スイッチ１１の頭部が発光体３の他方の平面部３Ａの内壁に向けられている。したがって、倒立した発光体３のいずれかの平面部３Ａが床Ｐ面等に当接接地された際には、傾斜スイッチ１１のいずれか一方が必ずスイッチオンとなる。
【００２０】
また、発光体３内部における長手方向に沿った両側には、前記傾斜スイッチ１１の基板５と並行となるように光源２用の基板５が配され、この基板５片面には、傾斜スイッチ１１とリード線６を介して電気的に接続された例えばＬＥＤ等の光源２が発光体３内から外方に向くようにして配設されている。さらに、いずれか一方の光源２用の基板５には、例えばボタン型リチウム電池等による電源７が電気的に接続されている。
【００２１】
台座４は、図２に示すように、水平面部４Ａと垂直面部４Ｂとによって略Ｌ字形の棚状に形成されており、水平面部４Ａには、中央に開口を有する円弧状凹部４Ｃが例えば５つ並列に配置され、一方、垂直面部４Ｂの両端上側には台座４自体を壁Ｑに取り付けるためのネジ孔９が設けられている。そして円弧状凹部４Ｃには、発光体３両端のうちいずれか一方の半球面状部分が載せられることで発光体３を正立状態として、すなわち当該発光体３における傾斜スイッチ１１がオフとなるようにして、水平面で例えば５つにして並列に配置されるようにしてある。
【００２２】
次に、傾斜スイッチ１１の具体的な構成について説明する。重錘式の傾斜スイッチ１１は、図６に示すように、絶縁材で形成した円筒状の基台１２の上部開口面をオーリング１３を介して、絶縁材で形成した円筒状の蓋１４で閉塞することで内部に水密状態となった空洞部が形成される。この空洞部の底面には一対の固定接点１５が露出して配置され、該両固定接点１５からは空洞部の外部に向けて端子１６が導出され基板５に実装される。また空洞部内には、上方に向かうに従って漸次直径が細くなった載頭円錐形状の重錘１７が転倒可能となるように内装され、この重錘１７の下面には、固定接点１５に対し点接触可能とした先細の複数の突片１８Ａを有する導電性バネ材による可動接点１８が付設されていることで構成されている。
【００２３】
発光体３自体が倒立状態にあるとき、傾斜スイッチ１１が直立状態となって重錘１７が空洞部内部で直立している場合には、図６（ｂ）に示すように、可動接点１８の突片１８Ａは両固定接点１５に接触してオン接点信号を発信するようにしている。一方、発光体３自体が正立状態にあるとき、傾斜スイッチ１１が転倒状態となって重錘１７が空洞部内部で転倒した際には、図６（ｃ）に示すように、可動接点１８は少なくとも２個の突片１８Ａを支点として傾き、他の突片１８Ａは空洞部の底面から浮き上がることで可動接点１８が両固定接点１５の間から離れて光源２回路を開成するオフとなるようにしている。また傾斜スイッチ１１が転倒状態となった場合には、重錘１７の上面と蓋１４との間に隙間があるため、重錘１７の可動接点１８における突片１８Ａ全てが両固定接点１５から離れてオフとなるようにしている。
【００２４】
また、傾斜スイッチ１１の他の構成としては、前記した載頭円錐形状の重錘１７を利用した重錘式の傾斜スイッチ１１に替えて導電性球体式の傾斜スイッチ１１を使用することができる。すなわち、この傾斜スイッチ１１は図７に示すように、中央に隔離溝２１を設けてドーム状の一対の導体２２Ａ，２２Ｂが離間して対向配置され、一方の導体２２Ａと他方の導体２２Ｂとはリード線６を介して光源２および電源７に直列に接続されている。そして、この両導体２２Ａ，２２Ｂ間で移動可能となるよう直径が隔離溝２１の幅員よりも若干大きな例えば鉄製等の導電性の導電性球体２３が配置され、該導電性球体２３の周側面の一部が隔離溝２１に跨るように嵌り込むことで当該導電性球体２３を介して両導体２２Ａ，２２Ｂが導通状態となるようにしてある。
【００２５】
発光体３内部においては、両導体２２Ａ，２２Ｂはこれらの間の隔離溝２１の方向が発光体３の左右の平面部３Ａに直交するようにして配置される。こうすることにより例えば図７（ａ）に示すように、発光体３自体が正立状態で、傾斜スイッチ１１が転倒されることで導電性球体２３は一方の導体２２Ａ側に配置された状態となり、両導体２２Ａ，２２Ｂ相互が隔離溝２１によって離間されているときにはスイッチオフの状態のままである。  
【００２６】
一方図７（ｂ）に示すように、発光体３自体が倒立状態で、傾斜スイッチ１１が時計廻りあるいは反時計廻りのいずれかの方向に回転して直立状態となると、導電性球体２３の周側面の一部が隔離溝２１に嵌り込む状態となり、両導体２２Ａ，２２Ｂ相互間に跨るようになると当該導電性球体２３を介して両導体２２Ａ，２２Ｂが導通状態となって電源７から光源２に電流が流れて点灯する。
【００２７】
また、傾斜スイッチ１１として導電性球体等の硬球を使用した硬球式感震器に替わりに、液体金属である水銀を使用した水銀式感震器を採用することもできる。これは図９に示すように、例えばヘリウムデイテクタにて０．０１Ｐａ立方ｃｍ／ｓｅｃ以下の気密性を有する略ボタン型の容器４１内に、前記した導電性球体式の傾斜スイッチ１１と同様に隔離溝２１を設けて互いに対向する一対の導体２２Ａ，２２Ｂが配されており、さらに両導体２２Ａ，２２Ｂ間を往復流動できるようにした水銀が容器４１内に封入されている。また、導体２２Ａの端子４２Ａが容器４１の下面中央からＬ字状に引き出され、導体２２Ｂの端子４２Ｂが容器４１の周側面から引き出されている。これら端子４２Ａ，４２Ｂ間の抵抗は、１００ｍΩ以下である。
【００２８】
そしてこの水銀式感震器が転倒状態から時計廻りあるいは反時計廻りのいずれかの方向に回転して直立状態となると、水銀が隔離溝２１内に流れ込む状態となり、当該水銀を介して両導体２２Ａ，２２Ｂが導通状態となって電源７から光源２に電流が流れて点灯するものとしている。具体的には、この水銀式感震器の動作角度は、転倒状態から前後左右の回転方向については２０度〜６０度の傾斜角度でスイッチオンとなるように設定され、また前後左右回転方向について復帰角度１５度以上でスイッチオフとなるように設定されている。また、耐久性としては、例えば１００Ｖ１００Ｗ電球の負荷をＡＣ１１０Ｖにて作動させる場合、水銀式感震器の容器４１を７０度以上傾斜させると２秒間点灯、３０秒間消灯のオンーオフサイクルを約５０００回行えるものとしてある。しかもこれらの特徴に加えて、高度な耐振性、耐衝撃性、耐熱性等を備えている。
【００２９】
また、傾斜スイッチ１１は図８（ａ）に示すように、これの一対を並列接続して使用することで、例えば発光体３自体がいずれの方向に倒立しても確実に光源２を点灯させるようにできる。もとより図８（ｂ）に示すように、この傾斜スイッチ１１を一つにすることも可能である。
【００３０】
次に、以上のように構成された最良の形態についての使用、動作の一例について説明する。先ず、図２に示すように、台座４を、これの垂直面部４Ｂに挿通したネジ８によって壁Ｑに固定しておく。そして台座４の水平面部４Ａにおける５つにして並列に配してある円弧状凹部４Ｃそれぞれに発光体３を正立状態に規制した状態で載せておく。このとき、発光体３の傾斜スイッチ１１は転倒状態とあるため、スイッチオフとなり光源２は消灯している。
【００３１】
地震発生時には、図１に示すように、壁Ｑと共に台座４全体が揺れるため、台座４上に載せられている発光体３は円弧状凹部４から離脱、落下して床Ｐ面上に散乱する。このとき発光体３はこれのいずれかの平面部３Ａ側が床Ｐ面に当接接地された状態で倒立状態となって、すなわち正立状態への規制が解除された状態で周囲に散乱するため、発光体３に内蔵の傾斜スイッチ１１が直立状態となってスイッチオンとなって光源２が点灯し、床Ｐ面を広範囲にわたって散乱してスポットライト的に照明する。
【００３２】
図３、図４には、本形態における震災用照明装置１の他例が示されており、ここでは震災用照明装置１自体を屋内の壁Ｑあるいは天井等にインテリア感覚で設置できる吊り掛けタイプとしてある。すなわち、この吊り掛けタイプの震災用照明装置１は、図４に示すように、壁Ｑにネジ８で固定された縦長帯板状の壁取付材３１の上端からアーチ状に上部アーム３２を延設しておき、この上部アーム３２先端には例えば鎖による吊下材３３を介してネジキャップ３４の頂部中央が連結される。そしてこのネジキャップ３４の開口側ネジ部分に内径約３ｃｍ、長さ２５ｃｍ程度の筒状の収納体３５の上端開口側がねじ込まれ、さらにネジキャップ３４上側から収納体３５全部を覆うように、例えば鈴蘭の花をイメージした笠筒状の外套材３６が被せられる（図３参照）。
【００３３】
このようにネジキャップ３４、収納体３５、外套材３６それぞれは上部アーム３２先端において吊下材３３を介して揺動自在となるように吊下される。また、壁取付材３１の下端からは下部アーム３７を介して円板状の受け部３８が取り付けられ、該受け部３８は、収納体３５の下端開口側縁部から若干離隔した状態で配置される。そして、図４（ａ）に示すように、収納体３５の中には例えば５つの発光体３が筒方向に沿って互いにスイッチオフの正立状態となって挿入され、最下段にある発光体３が受け部３８上面に係止された状態で収納体３５自体が直立に保持されているものとしてある。
【００３４】
地震発生時には、図３（ｂ）および図４（ｂ）に示すように、上部アーム３２先端に吊下材３３を介して吊下されているネジキャップ３４、収納体３５、外套材３６それぞれが一体となって揺動される。そうすると収納体３５全体が受け部３８の横方向に傾き、収納体３５下端が開放されて、内部の最下段の発光体３から順次に受け部３８上面を滑るようにして収納体３５の下端開口側から発光体３が次々と落下される。そして、全ての発光体３はこれが床Ｐ面上に落ちて散乱した際には、当該発光体３の平面部３Ａが床Ｐ面に当接接地される状態となるため、倒立状態にある傾斜状の発光体３自体は内蔵の傾斜スイッチ１１が直立状態となるスイッチオンとなって光源２が点灯し、床Ｐ面を広範囲にわたってスポットライト的に照明するのである。
【００３５】
尚、この吊り掛けタイプの震災用照明装置１を天井に設置する場合には、ネジキャップ３４、収納体３５、外套材３６それぞれは天井から垂下させた上部アーム３２先端において吊下材３３を介して揺動自在となるように吊下され、受け部３８は不図示の床Ｐ面からの直立アームもしくは壁Ｑからの水平アーム等を介して、収納体３５の下端開口側縁部から若干離隔した状態に配置されば良い。
【００３６】
また、発光体３の事前の配置形態・態様は図示例に限定されず、要は、通常時ではスイッチオフの正立状態に規制して多数のものが適当に載置セットされていて、地震の振動時等にその載置セット位置から飛び出しあるいは外れて床Ｐ面等に散乱し、その散乱時に正立状態の規制を解除して転倒傾斜してスイッチオンして照明・発光すればよいのである。
【図面の簡単な説明】
【００３７】
【図１】この考案を実施するための最良の形態における立て置きタイプの震災用照明装置の地震発生時の状態を示す斜視図である。
【図２】同じく立て置きタイプの震災用照明装置の一例を示し、（ａ）は正面から見た縦断面図、（ｂ）は側面から見た縦断面図である。
【図３】同じく壁等にインテリア感覚で設置した状態の吊り掛けタイプの震災用照明装置の一例を示し、（ａ）は通常時の静止状態における斜視図、（ｂ）は地震発生時の振動に伴って発光体が落下する状態を示す斜視図である。
【図４】同じく壁等にインテリア感覚で設置した状態の震災用照明装置の一例を示し、（ａ）は通常時の静止状態における側断面図、（ｂ）は地震発生時の振動に伴って発光体が落下する状態における側断面図である。
【図５】同じく床面に倒立状態で置かれた発光体の一例を示し、（ａ）は正断面図、（ｂ）は平断面図、（ｃ）は側断面図である。
【図６】同じく重錘式の傾斜スイッチの一例を示し、（ａ）は平面図、（ｂ）は発光体が倒立状態にあって傾斜スイッチが直立しているスイッチオン状態の縦断面図、（ｂ）は発光体が正立状態にあって傾斜スイッチが転倒しているスイッチオフ状態の縦断面図である。
【図７】同じく導電性球体式の傾斜スイッチの一例を示し、（ａ）は傾斜スイッチが転倒しているスイッチオフ状態の概略図、（ｂ）は傾斜スイッチが直立しているスイッチオン状態の概略図である。
【図８】同じく傾斜スイッチの接続回路構成を示すもので、（ａ）は傾斜スイッチを並列した場合の回路図、（ｂ）は一個の傾斜スイッチを使用した場合の回路図である。
【図９】水銀式の傾斜スイッチの一例を示した斜視図である。
【符号の説明】
【００３８】
Ｐ…床                                  Ｑ…壁
１…震災用照明装置                      ２…光源
３…発光体                              ３Ａ…平面部
４…台座                                ４Ａ…水平面部
４Ｂ…垂直面部                          ４Ｃ…円弧状凹部
５…基板                                ６…リード線
７…電源                                ８…ネジ
９…ネジ孔
１１…傾斜スイッチ                      １２…基台
１３…オーリング                        １４…蓋
１５…固定接点                          １６…端子
１７…重錘                              １８…可動接点
１８Ａ…突片
２１…隔離溝                            ２２Ａ，２２Ｂ…導体
２３…導電性球体
３１…壁取付材                          ３２…上部アーム
３３…吊下材                            ３４…ネジキャップ
３５…収納体                            ３６…外套材
３７…下部アーム                        ３８…受け部
４１…容器                              ４２Ａ，４２Ｂ…端子
【図１】
0003122501.tif 000003
【図２】
0003122501.tif 000004
【図３】
0003122501.tif 000005
【図４】
0003122501.tif 000006
【図５】
0003122501.tif 000007
【図６】
0003122501.tif 000008
【図７】
0003122501.tif 000009
【図８】
0003122501.tif 000010
【図９】
0003122501.tif 000011